(57)【要約】【課題】装着感に優れた液晶シャッタ眼鏡を提供する。【解決手段】頭部に装着するための左右のつる１２Ｒ，１２Ｌを含むフレーム１０と、フレーム１０に設けられ、光の透過状態と透過制限状態とを切換可能な液晶パネル２０と、液晶パネル２０を透過状態または透過制限状態に切換制御する制御装置３０とを備える液晶シャッタ眼鏡１である。制御装置３０は、制御基板３１Ａと、制御基板３１Ａに電力を供給するバッテリ部３２とを含み、液晶パネル２０を透過状態および透過制限状態との間で周期的に切り換えるように制御し、制御基板３１Ａは、フレーム１０の左右の一方に配置され、バッテリ部３２は、他方に配置される。【選択図】図１
2010211177.tif 000002
【特許請求の範囲】
【請求項１】
頭部に装着するための左右のつるを含むフレームと、
前記フレームに設けられ、光の透過状態と透過制限状態とを切換可能な液晶パネルと、
前記液晶パネルを前記透過状態または前記透過制限状態に切換制御する制御装置とを備え、
前記制御装置は、制御基板と、当該制御基板に電力を供給するバッテリ部とを含み、前記液晶パネルを前記透過状態および前記透過制限状態との間で周期的に切り換えるように制御し、
前記制御基板は、前記フレームの左右の一方に配置され、前記バッテリ部は、他方に配置されたことを特徴とする液晶シャッタ眼鏡。
【請求項２】
前記フレームは、鼻当てと、当該鼻当てを前記液晶パネルの面に対し近接離間する方向に移動可能にするネジ部材とを備えたことを特徴とする請求項１に記載の液晶シャッタ眼鏡。
【請求項３】
前記液晶パネルは、非通電時に透過状態になるように構成されたことを特徴とする請求項１または請求項２に記載の液晶シャッタ眼鏡。
【請求項４】
前記液晶パネルは、ＴＮ型であるとともに非通電時に透過制限状態になるように構成され、前記透過制限状態は、半透明状態であることを特徴とする請求項１または請求項２に記載の液晶シャッタ眼鏡。
【請求項５】
前記制御基板は、前記液晶シャッタ眼鏡とは別体に構成されたコントローラからの無線信号を受信する受信機を備え、前記コントローラからの無線信号によって作動するように構成されていることを特徴とする請求項１〜請求項４のいずれか１項に記載の液晶シャッタ眼鏡。
【発明の詳細な説明】
【技術分野】
【０００１】
本発明は、液晶シャッタ眼鏡に関する。
【背景技術】
【０００２】
一般に、多くのスポーツにおいては、動く対象物を見て機敏に反応する能力が必要とされ、運動選手のこの能力を発達させるためのトレーニング手法が種々研究されている。例えば、従来から、暗室でストロボ光を明滅させ、移動する対象物を間歇的に照らして、この対象物に対し反応するトレーニング方法が知られている。この方法によれば、運動選手は移動する対象物が本来の速度よりも遅く見え、その結果一層敏速な反射運動で反応するよう要求される。
【０００３】
このようなトレーニング手法は、トレーニングをするための広い暗室が必要であり、場所が制限されるという問題があった。
そのため、これまで特許文献１に開示されたように、眼鏡型のフレームに液晶レンズを設け、このレンズを透明状態と不透明状態との間を所定周波数で切り替えることで、前記した暗室におけるトレーニングと同様の状態を作り出す動的視力訓練装置が知られている。
【０００４】
また、同様の動作をする眼鏡として、特許文献２に開示されたパチスロ遊技補助眼鏡が知られている。
【０００５】
これらの装置は、スポーツのトレーニングや、パチスロの遊技に利用できるだけでなく、原理的には連続ストロボフラッシュの代わりとして、エンジンや産業機械などの回転物の動作チェック、その他移動物体の観察に利用することができ、利用範囲は非常に広いものである。
【先行技術文献】
【特許文献】
【０００６】
【特許文献１】特表平９−５１０３７１号公報
【特許文献２】特開２００４−８１７５５号公報
【発明の概要】
【発明が解決しようとする課題】
【０００７】
しかし、特許文献１の図１や、特許文献２の図２に示されたような、眼鏡からコントローラ（駆動装置）までを配線で繋いだ装置では、スポーツ選手がトレーニングや競技のときに用いるには、配線がじゃまとなり使いにくいという問題がある。これに対し、特許文献２の図１には、眼鏡の左側のつるに駆動装置が設けられた例が図示されており、配線がじゃまになるという問題はないものの、左右の重量バランスが悪く、スポーツ選手がトレーニングや競技を行うのには重量の偏りが気になってプレーに集中できないという問題がある。さらに、頭の形状は人それぞれであり、この点からも、特にスポーツ選手が用いる場合には好適な装着感が求められる。
【０００８】
本発明は、以上のような背景に鑑みてなされたものであり、装着感に優れた液晶シャッタ眼鏡を提供することを目的とする。
【課題を解決するための手段】
【０００９】
前記した課題を解決する本発明の液晶シャッタ眼鏡は、頭部に装着するための左右のつるを含むフレームと、前記フレームに設けられ、光の透過状態と透過制限状態とを切換可能な液晶パネルと、前記液晶パネルを前記透過状態または前記透過制限状態に切換制御する制御装置とを備え、前記制御装置は、制御基板と、当該制御基板に電力を供給するバッテリ部とを含み、前記液晶パネルを前記透過状態および前記透過制限状態との間で周期的に切り換えるように制御し、前記制御基板は、前記フレームの左右の一方に配置され、前記バッテリ部は、他方に配置されたことを特徴とする。
【００１０】
このように、フレームに液晶パネルの制御装置を配置することで、液晶シャッタ眼鏡から配線が引き出されないのでスポーツのトレーニングまたは競技で使用する際に配線がじゃまにならない。その上、制御基板とバッテリ部とを、フレームの左右に分けて配置したため、左右の重量バランスがよくなる。したがって、スポーツのトレーニングまたは競技で使用する際に装着感が良く、プレーに集中することができる。なお、ここでいうバッテリ部とは、バッテリが設けられる部分のことであり、バッテリが内蔵される場合もあれば、着脱式のバッテリが装着されるバッテリケースである場合もある。
【００１１】
前記した液晶シャッタ眼鏡においては、前記フレームは、鼻当てと、当該鼻当てを、前記液晶パネルの面に対し、近接離間する方向に移動可能にするネジ部材とを備えた構成とすることができる。
【００１２】
このように、ネジ部材により鼻当てを液晶パネルの面に対し、近接離間する方向に移動可能にすることで、一つの液晶シャッタ眼鏡を複数人で使う場合においても、ネジ部材により鼻当ての位置を繰り返し調整でき、装着感を良くすることができる。これにより、一つの液晶シャッタ眼鏡を友人間で使い回したり、スポーツクラブ、ゴルフ練習場などでレンタルに供したりすることができる。
【００１３】
前記した液晶シャッタ眼鏡において、前記液晶パネルは、非通電時に透過状態になるように構成されることで、非通電時に顔から外さなくても視界を遮らないので、利便性を向上することができる。
【００１４】
一方、前記液晶パネルは、ＴＮ型であるとともに非通電時に透過制限状態になるように構成され、前記透過制限状態は、半透明状態である構成としてもよい。この場合には、非通電状態において、液晶パネルがサングラスのレンズと同様の、光を一部遮る状態になるので、シャッタ機能の非使用時（非通電時）にも、そのままサングラス代わりとして装着したままとすることができ、特に野外スポーツで使用する場合に利便性に優れる。
【００１５】
また、前記制御基板は、前記液晶シャッタ眼鏡とは別体に構成されたコントローラからの無線信号を受信する受信機を備え、前記コントローラからの無線信号によって作動するように構成されていてもよい。この場合には、ユーザが手元のコントローラによって制御基板を作動させることができるので、操作性を向上させることができる。
【発明の効果】
【００１６】
本発明の液晶シャッタ眼鏡によれば、制御基板とバッテリ部とをフレームの左右に分けて配置することで、左右の重量バランスが良く装着感に優れ、鼻当ての位置を繰り返し調整できることで、装着感を高めることができる。
【図面の簡単な説明】
【００１７】
【図１】液晶シャッタ眼鏡を前方から見た外観斜視図である。
【図２】液晶シャッタ眼鏡を後方から見た分解斜視図である。
【図３】液晶パネルの配線を示す図である。
【図４】制御装置の電気的構成を示すブロック図である。
【図５】鼻当ての動作を説明する図である。
【図６】液晶シャッタ眼鏡の操作部をリモコン式にした形態を示す外観斜視図である。
【図７】図６の液晶シャッタ眼鏡とコントローラの電気的構成を示すブロック図である。
【発明を実施するための形態】
【００１８】
以下、図面を参照しながら、本発明の一実施形態について説明する。
図１に示すように、一実施形態に係る液晶シャッタ眼鏡１は、フレーム１０と、液晶パネル２０（２０Ｒ，２０Ｌ）と制御装置３０とを備えて構成されている。
【００１９】
フレーム１０は、一般的な眼鏡と同様に、リム１１と、左のつる１２Ｌと、右のつる１２Ｒとを備えて構成されている。リム１１は、図２に示すように、前リム１１Ａと後リム１１Ｂとを小ねじ（図示せず）により締結してなり、前リム１１Ａと後リム１１Ｂとの間には、配線コード３３を収納できる空間が形成されている。なお、本明細書において、前後、左右、上下は、液晶シャッタ眼鏡１を装着した人の前後、左右、上下に従うものとする。
【００２０】
前リム１１Ａは、一般的な眼鏡と同様に、レンズ（本実施形態では液晶パネル２０が用いられる）が設けられる開口１１Ｃが形成され、後リム１１Ｂにも同様に、開口１１Ｃに対応して、レンズが設けられる開口１１Ｄが形成されている。
【００２１】
後リム１１Ｂのブリッジ１１Ｅの部分には、鼻当て１６が取り付けられている。ブリッジ１１Ｅの後面には、後方に突出して延びる２つのピン１８が設けられている。鼻当て１６は、本体部１６Ａと、本体部１６Ａから下方で左右に延び出した２つのパッド１６Ｂとを備えており、本体部１６Ａに、前記したピン１８に対応する貫通孔１６Ｃが設けられている。ピン１８は、貫通孔１６Ｃに挿通され、これにより、鼻当て１６は、ピン１８の長手方向、すなわち前後方向に沿っての移動が案内されている。鼻当て１６の本体部１６Ａの中央には、前方にネジ部が突出するように固定されたネジ軸１７Ａが設けられている。ネジ軸１７Ａは、後リム１１Ｂの左右方向中央に設けられた軸支孔１４に挿通され、ナット１７Ｂが螺合されている。ナット１７Ｂは、円盤形をなし、図１に示すように、上側の一部がリム１１の上部から露出している。ナット１７Ｂは、図２に示すように、後リム１１Ｂのブリッジ１１Ｅに形成された、上方に開口する凹部１９に収容され、図５（ａ）に示すように、この凹部１９の前後の壁と前リム１１Ａとより前後方向への移動が規制されている。ネジ軸１７Ａおよびナット１７Ｂは、ネジ部材の一例である。
【００２２】
図１に示すように、左のつる１２Ｌは、人が装着したときにこめかみに対応する部分に、制御基板３１Ａが収容された箱状の基板収納部３１が設けられている。基板収納部３１は、図示しない小ねじにより開閉可能なカバー１５Ｌが設けられている。カバー１５Ｌには、開口１５Ｐが形成され、内部の制御基板３１Ａに接続された表示部３８を視認することができるようになっている。基板収納部３１には、制御基板３１Ａに接続された操作部としてのスイッチ３５Ａ〜３５Ｅが外部に露出して設けられている。
【００２３】
右のつる１２Ｒは、基板収納部３１と左右対称な位置に、バッテリ３２Ａが収容された箱状のバッテリ部３２が設けられている。バッテリ部３２には、図示しない小ねじにより開閉可能なカバー１５Ｒが設けられている。
【００２４】
液晶パネル２０は、非通電時において光の透過率が高い透過状態となり、通電時に光の透過率が低い透過制限状態となるＴＮ型のパネルである。液晶パネル２０は、図２に示すように、八角形に成形され、上部から配線コード３３が引き出されて、この配線コード３３が、リム１１の上部に形成された空間内に配置されている。
【００２５】
図３に示すように、制御装置３０は、右のつる１２Ｒに配置されたバッテリ３２Ａから配線コード３３Ａにより、左のつる１２Ｌに配置された制御基板３１Ａに電力供給のための配線がなされている。そして、制御基板３１Ａから、配線コード３３Ｂにより左の液晶パネル２０Ｌに信号が送られ、左の液晶パネル２０Ｌから配線コード３３Ｃにより右の液晶パネル２０Ｒに信号が送られるように配線されている。
【００２６】
図４に示すように、制御装置３０は、バッテリ３２Ａを有し、メインスイッチ３５Ａを介して制御基板３１Ａに電力が供給される。
制御基板３１Ａは、パルス発生器３６ａ、周波数制御装置３６ｂ、パルス幅制御装置３６ｃ、設定選択部３６ｄ、ＬＣＤドライバ３６ｅ，３６ｆ、および設定記憶部３９を有する。
【００２７】
設定記憶部３９には、プリセットされた設定名と、パルスのデューティ比および周波数の関係が記憶されている。例えば、Ｆ０１の設定名に対しては、デューティ比が５０％などと記憶されている。デューティ比は、例えば、５％刻みで５０〜９５％まで設定されている。同様に、００５の設定名に対しては、周波数が２Ｈｚなどと記憶されている。周波数は、例えば、２〜５００Ｈｚの範囲で適宜なステップで設定されている。また、設定記憶部３９には、作動中にスリープスイッチ３５Ｂが押された場合に、現在選択されている設定名が記憶される。
【００２８】
設定選択部３６ｄは、スリープスイッチ３５Ｂ、ダウンスイッチ３５Ｄ、アップスイッチ３５Ｃおよびモードスイッチ３５Ｅが接続されている。モードスイッチ３５Ｅは、デューティ比の変更をするデューティ変更モードと周波数の変更をする周波数変更モードとを押される度に切り換えるスイッチであり、デューティ変更モードでは、ダウンスイッチ３５Ｄ、アップスイッチ３５Ｃの操作により、それぞれ降順および昇順で設定記憶部３９から設定名およびそれに対応するデューティ比が読み出される。モードスイッチ３５Ｅを押して周波数変更モードにすると、ダウンスイッチ３５Ｄ、アップスイッチ３５Ｃの操作により、それぞれ降順および昇順で設定記憶部３９から設定名およびそれに対応する周波数が読み出される。
【００２９】
読み出されたデューティ比は、パルス幅制御装置３６ｃへ出力され、周波数は、周波数制御装置３６ｂへ出力される。そして、周波数制御装置３６ｂの動作によりパルス発生器３６ａで発生するパルス信号の周波数が変更される。そして、パルス発生器３６ａで発生したパルス信号はパルス幅制御装置３６ｃへ出力され、パルス幅制御装置３６ｃでパルス幅が変更された上でＬＣＤドライバ３６ｅへ出力される。
【００３０】
ＬＣＤドライバ３６ｅは、パルス幅制御装置３６ｃから入力されたパルス信号を液晶パネル２０Ｒ，２０Ｌの動作電圧に増幅してそれらへ出力する。
【００３１】
一方で、設定選択部３６ｄで読み出された設定名は、ＬＣＤドライバ３６ｆへ出力され、ＬＣＤドライバ３６ｆにより表示部３８で設定名が表示される。スリープスイッチ３５Ｂは、前記したように、液晶シャッタ眼鏡１の作動中に押されると、設定選択部３６ｄが、現在の設定名を設定記憶部３９に記憶させ、パルス発生器３６ａ、周波数制御装置３６ｂ、パルス幅制御装置３６ｃ、設定選択部３６ｄ、およびＬＣＤドライバ３６ｅ，３６ｆの動作を停止させる。そして、停止状態中に再度スリープスイッチ３５Ｂが押された場合には、記憶していた現在の設定を読み出して、停止前の設定で再度作動を開始させる。なお、メインスイッチ３５Ａにより電源を切った場合には、設定記憶部３９は、変更した設定値をリセットし、次回電源を入れたときにはプリセットされたデューティ比および周波数が読み出されるようになっている。
【００３２】
以上のように構成された液晶シャッタ眼鏡１の動作について説明する。
使用者は、通常の眼鏡と同様にして液晶シャッタ眼鏡１を顔に装着し、メインスイッチ３５Ａを押して制御基板３１Ａの電源を入れる。制御基板３１Ａは、プリセットされた初期値としてのデューティ比（設定名Ｆ０１）および周波数（設定名００５）を設定記憶部３９から読み出して、周波数制御装置３６ｂとパルス幅制御装置３６ｃに出力する。周波数制御装置３６ｂはパルス発生器３６ａで発生するパルス信号の周波数を変更し、パルス発生器３６ａは、この周波数に従い、パルス信号を発生し、パルス幅制御装置３６ｃに出力する。パルス幅制御装置３６ｃは、パルス幅を変更したパルス信号をＬＣＤドライバ３６ｅに出力する。ＬＣＤドライバ３６ｅは、入力されたパルス信号を液晶パネル２０の動作に適した電圧にして、同じ信号を左右の液晶パネル２０Ｒ，２０Ｌに出力する。また、ＬＣＤドライバ３６ｆは、設定名を表示部３８に表示させる。
【００３３】
これにより、左右の液晶パネル２０Ｒ，２０Ｌは、左右同時に透過状態と透過制限状態との間を周期的に切り換わる、いわば、点滅した状態となる。これにより、液晶シャッタ眼鏡１を装着した人は、物体を所定の周期で断続的に視認して、スポーツの練習をしたり、運動物体の観察、例えば機械の動作をチェックしたりすることができる。
【００３４】
使用者が、観察する物体にあわせて非透過状態が占める時間的割合を変更したい場合には、アップスイッチ３５Ｃまたはダウンスイッチ３５Ｄを押す。これにより、設定選択部３６ｄが設定記憶部３９から異なるデューティ比の設定を読み出す。また、使用者が、観察する物体にあわせて、周波数を変更したい場合には、モードスイッチ３５Ｅを押して周波数変更モードにした後、アップスイッチ３５Ｃまたはダウンスイッチ３５Ｄを押す。これにより、設定選択部３６ｄが設定記憶部３９から異なる周波数の設定値を読み出す。これらの読み出された設定値は、設定記憶部３９に記憶される。そして、変更された設定値に基づき、周波数制御装置３６ｂ、パルス発生器３６ａ、パルス幅制御装置３６ｃおよびＬＣＤドライバ３６ｅが動作することで、異なるデューティ比および周波数で左右の液晶パネル２０Ｒ，２０Ｌが同時に（同期して）点滅する。
【００３５】
このようにして、本実施形態の液晶シャッタ眼鏡１によれば、観察しようとする運動物体の特性にあわせてデューティ比および周波数を変更して液晶パネル２０Ｒ，２０Ｌを点滅させることができる。
【００３６】
このとき、本実施形態の液晶シャッタ眼鏡１は、比較的重量が大きいバッテリ３２Ａと、制御基板３１Ａとが左右のつる１２Ｒ，１２Ｌに分けて配置されているので、左右の重量バランスがよい。バッテリ３２Ａおよび制御基板３１Ａの小型化ができたとしても、この２つの部品は、多少なりとも重量を有し、つるの一方のみに配置すると、どうしても左右の重量バランスが悪くなってしまうところ、本実施形態の液晶シャッタ眼鏡１では、このようなアンバランスが無いため、装着感に優れ、特にスポーツ選手が使用する場合に、プレーに集中できるというメリットがある。
【００３７】
また、使用者が鼻当て１６の位置を調整する場合には、図５（ａ），（ｂ）に示すように、ナット１７Ｂを回転させる。ナット１７Ｂが回転すると、ナット１７Ｂの前後方向の位置は、凹部１９の前後の壁と前リム１１Ａとによりリム１１に対して規制されているので、ナット１７Ｂに螺合したネジ軸１７Ａがリム１１に対して前後に移動する。この結果、ネジ軸１７Ａと一体となった鼻当て１６が液晶パネル２０の面に対して近接離間する方向、つまり前後に移動する。これにより、鼻当て１６の前後方向位置が調整でき、使用者の顔と液晶パネル２０の距離を調整できる。このネジ部材による調整は、通常の眼鏡のようなワイヤの変形による調整と異なり、ナット１７Ｂの回転により何度でも行えるため、液晶シャッタ眼鏡１を複数人で使い回す場合や、レンタルとして使用させる場合などに有益である。
【００３８】
また、本実施形態の液晶シャッタ眼鏡１の液晶パネル２０は、非通電時に透過状態であるため、電源を切っているときには、装着したまま視界を得られるので、装着中に、使用を一時停止したい場合にも、いちいち液晶シャッタ眼鏡１を頭部から外す必要がなく、利便性に優れる。
【００３９】
以上に本発明の実施形態について説明したが、本発明は、前記した実施形態に限定されることなく適宜変形して実施することができる。
例えば、前記実施形態においては、液晶パネル２０は、非通電時に透過状態であるように設定したが、液晶素子と組み合わせて使用する偏光板の向きを適度に変更して、非通電時に透過制限状態にしておいてもよい。この場合、液晶パネル２０としてＴＮ型を用い、透過制限状態において半透明状態となるように偏向板の向きを決定するとよい。このようにＴＮ型の液晶パネル２０を非通電時に半透明とすることで、非通電時にサングラスと同様に用いることができる。つまり、野外スポーツなどでの使用に好適である。
【００４０】
このときの半透明状態とは、透過制限状態において適度に視界を遮断する意味からは、可視光透過率は、５〜５０％であるのがよく、望ましくは、５〜３０％であるのがよく、さらに望ましくは５〜２０％であるのがよい。
【００４１】
前記実施形態の液晶シャッタ眼鏡１においては、バッテリ３２Ａおよび制御基板３１Ａを左右のつる１２Ｒ，１２Ｌに分けて配置することで左右の重量バランスをとったが、左右の重量バランスをより向上させるために、バッテリ３２Ａおよび制御基板３１Ａのうち軽い側に、重りを別途設けてバランスをとってもよい。
【００４２】
前記実施形態においては、液晶シャッタ眼鏡１のつる１２Ｌに操作部や表示部を一体に設けたが、本発明はこれに限定されず、図６に示すように、リモコン式にしてもよい。具体的に、図６の形態に係る液晶シャッタ眼鏡１’は、主に、前記実施形態に係る液晶シャッタ眼鏡１から各スイッチ３５Ｂ〜３５Ｅと、表示部３８と、制御基板３１Ａの一部（ＬＣＤドライバ３６ｆ等）を取り除いた構造となっている。なお、このようにスイッチ３５Ｂ〜３５Ｅ等を取り除くことにより、液晶シャッタ眼鏡１’の左右の重量バランスが崩れた場合には、適宜、左のつる１２Ｌに重りを設けて重量バランスを調整すればよい。
【００４３】
そして、取り除いたスイッチ３５Ｂ〜３５Ｅ等は、液晶シャッタ眼鏡１’とは別体に構成されたコントローラ４０に設けられている。具体的には、図７に示すように、コントローラ４０は、前記実施形態と同様のスイッチ３５Ｂ〜３５Ｅ、設定選択部３６ｄ、ＬＣＤドライバ３６ｆ、設定記憶部３９および表示部３８を有している。また、設定選択部３６ｄ等を備えた制御基板４０Ａには、設定選択部３６ｄが設定記憶部３９から読み出す各種データを液晶シャッタ眼鏡１’の受信機３７に無線信号で発信する発信機４１が設けられている。なお、コントローラ４０には、制御基板４０Ａに電力を供給するバッテリ４２と、制御基板４０Ａへの電力供給を切り替えるメインスイッチ４３も設けられている。
【００４４】
一方、液晶シャッタ眼鏡１’の制御基板３１Ａ’には、前記実施形態と同様の周波数制御装置３６ｂ、パルス発生器３６ａ、パルス幅制御装置３６ｃおよびＬＣＤドライバ３６ｅが設けられる他、コントローラ４０からの無線信号を受信する受信機３７が設けられている。受信機３７は、周波数制御装置３６ｂとパルス幅制御装置３６ｃに信号を送るように構成されており、これにより、コントローラ４０からの無線信号によって液晶シャッタ眼鏡１’が作動するように構成されている。
【００４５】
このような形態によれば、液晶シャッタ眼鏡１’を簡易化できるので、液晶シャッタ眼鏡１’の軽量化を図ることができる。また、ユーザは、手元のコントローラ４０の表示部３８を見ながら各スイッチ３５Ｂ〜３５Ｅを操作して、各種設定を変更できるので、操作性を格段に向上させることができる。
【００４６】
前記実施形態では、液晶シャッタ眼鏡１のレンズとして左右２枚の液晶パネル２０Ｒ，２０Ｌを用いたが、本発明はこれに限定されず、左右のレンズが繋がった１枚レンズの眼鏡に本発明を適用する場合には、液晶パネルを１枚としてもよい。なお、この場合は、配線を少なくすることができる。
【００４７】
前記実施形態では、左右の液晶パネル２０Ｒ，２０Ｌの状態を左右同時に切り替えるようにしたが、本発明はこれに限定されず、同時でなくてもよく、例えば、右側の液晶パネルを透過制限状態にしたまま、左側の液晶パネルの状態のみを切り替えるようにしてもよい。
【００４８】
前記実施形態では、制御基板３１Ａとバッテリ部３２をそれぞれ左右のつる１２Ｒ，１２Ｌに分けて設置したが、本発明はこれに限定されず、制御基板３１Ａとバッテリ部３２はフレーム１０の左側部分と右側部分に分けられて設置されていればよい。例えば、リム１１の左右の一方に制御基板を設け、他方にバッテリ部を設けてもよい。
【００４９】
ただし、リム１１の左右方向外側部分には設置するスペースが少ないため、左右のつるに制御基板等を設けた方が、バッテリ部として大きくて大容量なものを使うことができる。また、つるに制御基板等を設ける場合には、前記実施形態のようにつるの前部（リム側）に制御基板等を設けるのが望ましい。このようにつるの前部に制御基板等を設ける場合には、操作性がよく、また、眼鏡を畳んだときに制御基板を収容する部分とバッテリ部を収容する部分との干渉を防ぐことができ、制御基板等を保護することができる。
【符号の説明】
【００５０】
１      液晶シャッタ眼鏡
１０    フレーム
１６    鼻当て
１７Ａ  ネジ軸
１７Ｂ  ナット
２０（２０Ｒ，２０Ｌ）  液晶パネル
３０    制御装置
３１    基板収納部
３１Ａ  制御基板
３２    バッテリ部
３２Ａ  バッテリ
３３    配線コード
３５Ａ  メインスイッチ
３５Ｂ  スリープスイッチ
３５Ｃ  アップスイッチ
３５Ｄ  ダウンスイッチ
３５Ｅ  モードスイッチ
【図１】
2010211177.tif 000003
【図２】
2010211177.tif 000004
【図３】
2010211177.tif 000005
【図４】
2010211177.tif 000006
【図５】
2010211177.tif 000007
【図６】
2010211177.tif 000008
【図７】
2010211177.tif 000009